(57)【要約】【課題】骨壺または位牌を収納する収納壇本体を目立たなくし慰霊スペースを有効に利用可能な慰霊装置を提供する。【解決手段】慰霊装置１０は、骨壺１２または位牌が載置される収納壇本体１１と、収納壇本体１１よりも前方に配置された前面板３０と、を備え、前面板３０は、高ヘイズ状態と低ヘイズ状態とを切り替え可能な調光シート４０を含む。【選択図】図２
2015204906.tif 000002
【特許請求の範囲】
【請求項１】
骨壺または位牌が載置される収納壇本体と、
前記収納壇本体よりも前方に配置された前面板と、
を備え、
前記前面板は、高ヘイズ状態と低ヘイズ状態とを切り替え可能な調光シートを含む、慰霊装置。
【請求項２】
前記収納壇本体を取り囲む壇ケースをさらに備え、
前記壇ケースは、前記収納壇本体の前方となる位置で前記前面板を支持している、請求項１に記載の慰霊装置。
【請求項３】
前記調光シートは、電圧が印加されていない場合に高ヘイズ状態となり、電圧が印加された場合に低ヘイズ状態となる、請求項１または２に記載の慰霊装置。
【請求項４】
前記調光シートは、三次元の網目状に形成された樹脂からなるポリマーネットワークと、前記ポリマーネットワークの内部に形成された空隙内に位置する液晶分子と、を有する、請求項１乃至３のいずれか一項に記載の慰霊装置。
【請求項５】
請求項１乃至４のいずれか一項に記載された複数の慰霊装置と、
各慰霊装置の前記調光シートを制御する制御部と、を備え、
前記制御部は、各慰霊装置の前記調光シートを他の慰霊装置の前記調光シートから独立して制御可能になっている、慰霊設備。
【請求項６】
情報が入力される入力手段をさらに備え、
前記制御部は、前記入力手段からの情報に基づいて前記慰霊装置の前記調光シートを制御する、請求項５に記載の慰霊設備。
【請求項７】
参拝領域が設けられた参拝部と、
骨壺または位牌が載置される収納壇本体を複数保管する保管部と、
前記保管部に保管された前記収納壇本体を、前記参拝部内の参拝位置まで移動させる移送部と、
を備え、
前記参拝部は、前記参拝位置に配置された前記収納壇本体を前記参拝領域から隔離する隔離壁を有し、
前記隔離壁は、高ヘイズ状態と低ヘイズ状態とを切り替え可能な調光シートを含む前面板を有している、慰霊設備。
【発明の詳細な説明】
【技術分野】
【０００１】
本発明は、骨壺または位牌を保管する慰霊装置及び複数の慰霊装置を備えた慰霊設備に関する。
【背景技術】
【０００２】
近年、地価上昇に伴う墓地の入手困難性から、共同墓地が利用されている。とりわけ、多くの人が生活する都市部では、地価の高騰に加え利用可能な土地も限られている。このため、アクセスの良い都市部内に広い土地を必要とする墓地を確保するのは難しく、共同墓地が益々求められている。
【０００３】
例えば、特許文献１及び２には、参拝室内の参拝者の要求に応じて、複数の納骨壇を保管する保管場所から対象となる納骨壇を参拝室まで移動させる共同墓地が開示されている。特許文献１及び２に記載の共同墓地としての慰霊設備では、観音式の扉または進行方向に開閉式の扉が採用されているため、扉の開閉のために広いスペースを必要とする。さらに、納骨壇を移動させる移送機構が大掛りになることから、慰霊スペースを有効に利用できていない。
【０００４】
この点、特許文献３には、複数の納骨壇の各々を透明な壇ケースに収納して階段状に配列した慰霊設備が開示されている。訪れる参拝者は、目的の納骨壇の前まで移動して参拝を済ませる。特許文献３に記載の慰霊設備では、納骨壇を移動させる移送機構が不要となることから慰霊スペースの有効化が図られている。
【先行技術文献】
【特許文献】
【０００５】
【特許文献１】特開平７−２６７９３号公報
【特許文献２】特開昭５９−１９２１６５号公報
【特許文献３】特開平１１−６２３１９号公報
【発明の概要】
【発明が解決しようとする課題】
【０００６】
しかしながら、特許文献３に開示された慰霊設備では、各納骨壇を透明な収納ケースに収容していることから、参拝者が目的の納骨壇の前まで移動する間あるいは参拝中に、他人の納骨壇が視えてしまう。納骨壇が他人に不用意に視られてしまうのは望ましくない。
【０００７】
そこで、納骨壇の視認を妨げるために、従来から用いられる複数の観音扉式の仏壇を階段状に並べることも考えられる。しかしながら、観音扉を開閉するためのスペースを必要とし、慰霊スペースを有効に利用することができない。
【０００８】
本発明は、以上の点を考慮してなされたものであり、骨壺または位牌を収納する収納壇本体が視認されることを抑制し慰霊スペースを有効に利用可能な慰霊装置及び慰霊設備を提供することを目的とする。
【課題を解決するための手段】
【０００９】
本発明による慰霊装置は、骨壺または位牌が載置される収納壇本体と、
前記収納壇本体よりも前方に配置された前面板と、
を備え、
前記前面板は、高ヘイズ状態と低ヘイズ状態とを切り替え可能な調光シートを含む。
【００１０】
本発明による慰霊装置は、前記収納壇本体を取り囲む壇ケースをさらに備え、前記壇ケースは、前記収納壇本体の前方となる位置で前記前面板を支持していてもよい。
【００１１】
本発明による慰霊装置において、前記調光シートは、電圧が印加されていない場合に高ヘイズ状態となり、電圧が印加された場合に低ヘイズ状態となってもよい。
【００１２】
本発明による慰霊装置において、前記調光シートは、三次元の網目状に形成された樹脂からなるポリマーネットワークと、前記ポリマーネットワークの内部に形成された空隙内に位置する液晶分子と、を有してもよい。
【００１３】
本発明による第１の慰霊設備は、前記いずれかの特徴を有する複数の慰霊装置と、各慰霊装置の前記調光シートを制御する制御部と、を備え、前記制御部は、各慰霊装置の前記調光シートを他の慰霊装置の前記調光シートから独立して制御可能になっている。
【００１４】
本発明による第１の慰霊設備は、情報が入力される入力手段をさらに備え、前記制御部は、前記入力手段からの情報に基づいて前記慰霊装置の前記調光シートを制御してもよい。
【００１５】
本発明による第２の慰霊設備は、参拝領域が設けられた参拝部と、
骨壺または位牌が載置される収納壇本体を複数保管する保管部と、
前記保管部に保管された前記収納壇本体を、前記参拝部内の参拝位置まで移動させる移送部と、
を備え、
前記参拝部は、前記参拝位置に配置された前記収納壇本体を前記参拝領域から隔離する隔離壁を有し、
前記隔離壁は、高ヘイズ状態と低ヘイズ状態とを切り替え可能な調光シートを含む前面板を有している。
【発明の効果】
【００１６】
本発明によれば、骨壺または位牌を収納する収納壇本体が視認されることを抑制し慰霊スペースを有効に利用することが可能となる。
【図面の簡単な説明】
【００１７】
【図１】本発明の第１の実施の形態による慰霊装置を示す斜視図。
【図２】調光シートを高ヘイズ状態にしたときの図１に示す慰霊装置を示す斜視図。
【図３】図１に示す線III−IIIに沿った慰霊装置の断面を示す断面図。
【図４】図１に示す慰霊装置に組み込まれ得る調光シートの一例を示す断面図であって、電圧を印加していない状態の調光シートを示す図である。
【図５】電圧を印加している状態にて、図４の調光シートを示す断面図である。
【図６】図１に示す慰霊装置に組み込まれ得る調光シートの他の例を示す断面図であって、電圧を印加していない状態の調光シートを示す図である。
【図７】電圧を印加している状態にて、図６の調光シートを示す断面図である。
【図８】複数の慰霊装置を階段状に並べた慰霊設備の一例を示す平面図。
【図９】本発明の第２の実施の形態による慰霊設備の保管部を示す斜視図。
【図１０】図９に示す慰霊設備の参拝部を示す斜視図。
【発明を実施するための形態】
【００１８】
以下、図面を参照して本発明の各実施の形態について説明する。なお、本件明細書に添付する図面においては、図示と理解のしやすさの便宜上、適宜縮尺および縦横の寸法比等を、実物のそれらから変更し誇張してある。
【００１９】
なお、本明細書において、「シート」、「フィルム」、「板」の用語は、呼称の違いのみに基づいて、互いから区別されるものではない。例えば、「シート」はフィルムや板と呼ばれ得るような部材も含む概念であり、したがって、「配光シート」は、「配光フィルム」や「配光板」と呼ばれる部材と呼称の違いのみにおいて区別され得ない。
【００２０】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
≪第１の実施の形態≫
図１乃至図８は、本発明による慰霊装置１０の第１の実施の形態を説明するための図である。このうち図１及び図２は、慰霊装置１０を示す斜視図である。なお、慰霊装置１０に祀られる対象には、故人だけでなくペットも含まれる。図１及び図２に示すように、慰霊装置１０は、骨壺１２または位牌が載置される収納壇本体１１と、収納壇本体１１を取り囲む壇ケース２０と、を備えている。壇ケース２０は、収納壇本体１１よりも前方となる位置で前面板３０を支持している。前面板３０は、高ヘイズ状態と低ヘイズ状態とを切り替え可能な調光シート４０を含んでいる。ここで説明する慰霊装置１０によれば、収納壇本体１１の前方に配置された調光シート４０を図２に示す高ヘイズ状態にすることで収納壇本体１１を目立たなくすることができる。また、扉の開閉スペースを必要としないため、慰霊スペースを有効に利用することも可能となる。以下、慰霊装置１０の各構成要素について説明していく。
【００２２】
収納壇本体１１は、それ自体既知の骨壺１２を保管する納骨壇本体、または、位牌を保管する仏壇本体にて構成される。以下では、収納壇本体１１が骨壺１２を保管する納骨壇本体にて構成された例について説明する。図３は、収納壇本体１１の断面を示す断面図である。図３に示すように、収納壇本体１１は、骨壺１２が載置されるカロート１３と、カロート１３上に配置され当該カロート１３との間で骨壺１２を安置する安置室Ｓを規定する墓石座部１４と、墓石座部１４上に配置された墓石本体１５と、を有している。
【００２３】
カロート１３は、納骨棺とも呼ばれる。カロート１３は、底面と、当該底面の上方を環状に取り囲む４つの側面と、を有している。カロート１３の４つの側面に囲まれる領域に、上方に開口した開口１３ａが形成されている。このカロート１３に形成された開口１３ａを塞ぐように墓石座部１４が配置されている。従って、墓石座部１４は、カロート１３の蓋として機能する。カロート１３と墓石座部１４との間に規定される安置室Ｓ内に、遺骨を収容した骨壺１２が保管される。墓石座部１４には墓石本体１５が載置されている。図３に示す例では、墓石本体１５は、墓石座部１４に一体として成形されている。墓石本体１５として、種々の形状からなるものを採用することができる。典型的には、墓石本体１５の正面となる主面１５ａに文字が刻まれている。
【００２４】
収納壇本体１１を構成する各構成要素をなす材料として、カロート１３には、例えばコンクリート、プラスチックあるいは木材を用いることができる。墓石座部１４及び墓石本体１５には、例えば御影石や大理石のような天然石、あるいは、鋳物や焼物のような成形物を用いることができる。
【００２５】
このような収納壇本体１１は、壇ケース２０に収容されている。壇ケース２０は、収納壇本体１１の少なくとも一部を覆い、礼拝者以外の者から収納壇本体１１を視え難くするために設けられている。図１に示す例では、壇ケース２０は、直方体状の形状を有している。壇ケース２０は、互いに対向する上壁２１及び下壁２２と、上壁２１と下壁２２との間を延びる４つの側壁２３〜２６と、を有している。このうち、上壁２１は、収納壇本体１１の上方を覆っている。下壁２２上に収納壇本体１１が載置され、下壁２２はカロート１３と対面している。４つの側壁２３〜２６は、収納壇本体１１を環状に取り囲んでいる。４つの側壁２３〜２６は、互いに対向する前方側壁２３及び後方側壁２４と、前方側壁２３の端部及び後方側壁２４の端部の間を延びる一対の横側壁２５、２６にて構成されている。前方側壁２３は、収納壇本体１１の正面に対面して配置され、後方側壁２４は、収納壇本体１１の後方に対面して配置されている。なお、収納壇本体１１の正面とは、礼拝者が礼拝する際に向き合うことが意図された面をいい、典型的には、墓石本体１５の文字が刻まれた主面１５ａの向く面となる。一対の横側壁２５、２６は、収納壇本体１１の側方に位置している。
【００２６】
図１に示すように、前方側壁２３に開口２７が設けられ、この開口２７に前面板３０が嵌め込まれている。開口２７は、墓石本体１５に対面する位置に形成されている。本実施の形態において、開口２７は、収納壇本体１１の正面方向から開口２７を介して収納壇本体１１を視たときに墓石本体１５の全体を視認することができるように、形成されている。したがって、開口２７は、収納壇本体１１の正面方向からみて、少なくとも墓石本体１５の全体と重なるように形成されている。
【００２７】
壇ケース２０は、開口２７以外の領域から収納壇本体１１を効果的に視え難くするために、不透明であることが好ましい。壇ケース２０を構成する材料としては、例えば、木材、アルミニウムまたはプラスチックが挙げられる。さらに、これらの材料に漆仕上げや金箔仕上げを施してもよい。
【００２８】
前面板３０は、開口２７に隙間なく嵌め込まれ壇ケース２０に支持されている。上述のように、開口２７は、墓石本体１５に対面する位置に形成され、収納壇本体１１の正面方向からみて、少なくとも墓石本体１５の全体と重なるように形成されている。ゆえに、前面板３０は、墓石本体１５に対面し、収納壇本体１１の正面方向からみて、少なくとも墓石本体１５の全体と重なるように形成されている。
【００２９】
図４乃至図７に、前面板３０の断面を示す。図４乃至図７に示すように、本実施の形態の前面板３０は、高ヘイズ状態と低ヘイズ状態とを切り替え可能な調光シート４０に加え、調光シート４０と接合された機能層３２を更に含んでいる。機能層３２は、何らかの機能を発揮することを意図された層である。一例として、ハードコート性、反射防止性、防汚性、或いはこれらの二以上の機能を発揮する層が挙げられる。前面板３０に含まれる機能層の数は、一以上の任意の数とすることができる。
【００３０】
調光シート４０は、ヘイズ値〔％〕が変化するシート状の部材である。ヘイズは、ヘイズメーター（村上色彩技術研究所製、製品番号；ＨＭ−１５０）を用いてＪＩＳ  Ｋ７１３６に準拠した方法により測定することができる。
【００３１】
調光シート４０は、ヘイズ値が変化する種々のシート状の部材を用いて形成され得る。ただし、ここで説明する慰霊装置１０において、調光シート４０は、高ヘイズ状態において、収納壇本体１１を隠蔽すること、すなわち、収納壇本体１１の存在をわかり難くすることを意図されている。したがって、高ヘイズ状態における調光シート４０のヘイズ値は、９０％以上となっていることが好ましい。その一方で、調光シート４０は、低ヘイズ状態において、収納壇本体１１の視認性を害さないことを意図されている。したがって、低ヘイズ状態における調光シート４０のヘイズ値は、１０％以下となっていることが好ましい。
【００３２】
ヘイズ値の切り換えを可能とする調光シート４０として、電圧を印加しているか否かに応じてヘイズ値が変化するシート状の部材を例示することができる。図４乃至図７には、電圧印加の有無に応じて高ヘイズ状態と低ヘイズ状態とを切り替え可能な調光シートとして、ポリマーネットワーク型液晶（ＰＮＬＣ）が例示されている。このうち、図４及び図５に示された調光シート４０は、ノーマルモード型と呼ばれるタイプであり、図６及び図７に示された調光シート４０は、リバースモード型と呼ばれるタイプである。
【００３３】
図４及び図５に示されたノーマルモード型の調光シート４０は、互いに対向して配置された第１基材４１及び第２基材４２と、一対の基材４１，４２間に配置され且つ対応する側の基材４１，４２にそれぞれ積層されている第１電極４３及び第２電極４４と、一対の電極４３，４４間に配置されたポリマーネットワーク４８及び液晶材料４９と、を有している。一対の基材４１，４２は、可視光透過性を有しており、収納壇本体１１の視認を可能にする。同様の理由から、一対の電極４３，４４も可視光透過性を有している。一対の基材４１，４２は、例えば、透明なガラスや樹脂フィルムを用いて形成され得る。また、一対の電極４３，４４は、酸化インジウム錫等の透明導電性材料を用いて形成され得る。
【００３４】
一方、図６及び図７に示されたリバースモード型の調光シート４０は、一対の電極４３，４４間に配置された一対の配向膜４５，４６を更に有している。第１配向膜４５は、第１電極４３に積層され、第２配向膜４６は、第２電極４４に積層されている。ポリマーネットワーク４８及び液晶材料４９は、一対の配向膜４５，４６の間に配置されている。配向膜４５，４６は、いわゆる垂直配向膜であり、液晶分子の長手方向が配向膜４５，４６の法線方向に沿うように、当該液晶分子を配向する。
【００３５】
ポリマーネットワーク４８は、三次元の網目状に、言い換えると、スポンジ状に形成されている。ポリマーネットワーク４８は、その内部に多数の空隙を形成している。この空隙内に液晶材料４９が設けられている。ポリマーネットワーク４８は、樹脂材料の硬化物から形成される。一方、液晶材料４９は、長手方向を有する液晶分子５０を含んだ液状の材料である。液晶分子５０は、その形状に対応した屈折率異方性を有している。すなわち、液晶分子５０の長手方向に直交する方向での屈折率と、液晶分子５０の長手方向に平行な方向での屈折率とは異なる。
【００３６】
一例として、図４乃至図７に示された調光シート４０では、液晶分子５０が配向されている状態（図５及び図６）において、液晶分子５０の屈折率とポリマーネットワーク４８の屈折率とが揃う。この状態において、調光シート４０へ入射した光は、進行方向を大きく曲げることなく、調光シート４０を透過することができる。すなわち、液晶分子５０が配向されている状態において、調光シート４０は低ヘイズ状態となる。この状態において、調光シート４０は透明な状態となり、調光シート４０越しに収納壇本体１１を観察することができる。
【００３７】
一方、図４乃至図７に示された調光シート４０において、液晶材料４９の液晶分子５０が配向されていない状態（図４及び図７）では、液晶分子５０の長手方向の向きが、当該液晶分子５０の近傍に位置するポリマーネットワーク４８にも依存して、不規則的となる。
この状態において、調光シート４０へ入射した光は、進行方向を大きく曲げられて拡散する。すなわち、液晶分子５０が配向されていない状態において、調光シート４０は高ヘイズ状態となる。このとき、調光シート４０は白濁した状態となり、調光シート４０によって収納壇本体１１が隠蔽される。
【００３８】
図４及び図５に示されたノーマルモード型の調光シート４０では、ポジ型の液晶分子５０が使用される。図４に示されたスイッチ５１が開いた状態（切れた状態）において、液晶分子５０の向きは不規則となっている。したがって、ノーマルモード型の調光シート４０は、電界が印加されていない状態において、白濁して収納壇本体１１を隠蔽することができる。一方、図５に示すように、スイッチ５１が閉じて電源５２からの電流が供給される状態（スイッチ５１が入った状態）において、液晶分子５０は配向されるようになる。したがって、ノーマルモード型の調光シート４０は、電圧を印加された状態で、透明となり、礼拝者は、透明な調光シート４０を介して収納壇本体１１を観察することができる。
【００３９】
図６及び図７に示されたリバースモード型の調光シート４０では、ネガ型の液晶分子５０が使用される。図６に示されたスイッチ５１が開いた状態（切れた状態）において、液晶分子５０は、一対の配向膜４５，４６の配向作用により垂直配向される。したがって、リバースモード型の調光シート４０は、電圧を印加されていない状態で、透明となり、礼拝者は、透明な調光シート４０を介して収納壇本体１１を観察することができる。一方、図７に示すように、スイッチ５１が閉じた状態（入った状態）において、ネガ型の液晶分子５０の向きは不規則となる。したがって、リバースモード型の調光シート４０は、電界が印加されている状態において、白濁して収納壇本体１１を隠蔽することができる。
【００４０】
ところで、液晶材料４９が二色性色素を有するようにしてもよい。二色性色素は、液晶分子５０と同様に、長手方向を有するとともに、電圧印加の有無に応じてその向きを変化させる。そして、二色性色素は、その向きに応じて色味を有し得るようになる。このため、調光シート４０は、低ヘイズ状態において無色透明に維持され、その一方で、高ヘイズ状態において、単なる白濁ではなく、所定の色味を有しながら隠蔽性を発揮することができる。ここで所定の色味を、調光シート４０が設置される周囲の色、例えば壇ケース２０の色と同様にすることができる。この例によれば、周囲環境の色調を崩すことなく、慰霊装置１０を配置することができる。すなわち、周囲との調和を保ちながら慰霊装置１０を配置することができる。このような二色性色素として、例えば特開２００７−００９１２０や特開２０１１−２４６４１１に開示されているような種々の公知なものを用いることができる。
【００４１】
以上のような調光シート４０は、一対の基材４１，４２、電極４３，４４及び配向膜４５，４６の間に、ポリマーネットワーク４８をなすようになる未硬化状態の樹脂組成物を液体状態の液晶材料４９とともに配置する。この状態から、未硬化状態の樹脂組成物を硬化させる。この際の硬化速度を調整することにより、樹脂組成物及び液晶材料４９が、それぞれ、或る程度凝集する。これにより、液晶材料４９が或る程度分散して配置される一方で、三次元網目状（スポンジ状）のポリマーネットワーク４８が形成されるようになる。なお、ポリマーネットワーク４８をなすようになる樹脂組成物は、一例として、光を照射されることによって硬化する光硬化型樹脂とすることができる。光硬化型樹脂を用いた場合、樹脂組成物の照射する光量を調整することにより、液晶材料４９の分散を調整することができる。
【００４２】
とりわけ、調光シート４０の一対の基材４１，４２が樹脂フィルムにて形成される場合、調光シート４０は柔軟性を有するようになる。したがって、収納壇本体１１の前方となる位置で、調光シート４０を含む前面板３０を湾曲した状態で壇ケース２０に支持させることも可能となる。したがって、湾曲した前面板３０を、湾曲した壇ケース２０のデザイン等に沿って配置することで、慰霊装置１０の意匠性を高めることができ、さらには、慰霊装置１０が配置されている領域の質感を向上させて高級感を付与することも可能となる。
【００４３】
次に、以上のような慰霊装置１０の作用を説明する。
【００４４】
まず、慰霊装置１０を利用しない場合すなわち慰霊装置１０を利用した礼拝を行わない場合、調光シート４０は、高ヘイズ状態に保たれる。図２に示すように、高ヘイズ状態においては、調光シート４０が透過光を散乱させるため、収納壇本体１１が調光シート４０越しに観察され難くなる。とりわけ、図示された例では、収納壇本体１１は、壇ケース２０と前面板３０とによってその周囲を取り囲まれている。したがって、調光シート４０が高ヘイズ状態に保たれることにより、収納壇本体１１を極めて視え難くすることができる。例えば慰霊装置１０を室内に設置した場合、収納壇本体１１を視え難くすることにより、慰霊装置１０が設置されるべき周囲環境との調和を図ることができる。
【００４５】
なお、調光シート４０がノーマルモード型のヘイズ切り換え方式を採用している場合、電圧を印加していない状態において、収納壇本体１１を隠蔽することになる。すなわち、電力を使用することなく、収納壇本体１１を隠蔽することができる。したがって、典型的には使用時よりも非使用時の方が長時間となるため、電力消費を抑える観点から、電圧が印加された場合に低ヘイズ状態となり電圧が印加されない場合に高ヘイズ状態となる、ノーマルモード型のヘイズ切り換え方式を採用することが好ましい。
【００４６】
次に、慰霊装置１０を利用して礼拝を行う場合、調光シート４０は、低ヘイズ状態に保たれる。図１に示すように、低ヘイズ状態においては、調光シート４０は、入射する光を進行方向を大きく曲げることなく透過させるため、収納壇本体１１が調光シート４０越しに観察される。ゆえに、礼拝者は、透明な調光シート４０越しに礼拝を行うことができる。
【００４７】
以上のように、本実施の形態の慰霊装置１０によれば、骨壺１２または位牌が載置される収納壇本体１１と、収納壇本体１１よりも前方に配置された前面板３０と、を備え、前面板３０は、高ヘイズ状態と低ヘイズ状態とを切り替え可能な調光シート４０を含む。このような形態によれば、前面板３０の調光シート４０を高ヘイズ状態に保つことにより調光シート４０が白濁する。これにより、収納壇本体１１を調光シート４０越しに視え難くすることができる。一方、調光シート４０を低ヘイズ状態に保つことにより調光シート４０が透明となる。これにより、礼拝者は、収納壇本体１１を透明な調光シート４０越しに観察しながら礼拝を行うことができる。すなわち、本実施の形態の慰霊装置１０によれば、調光シート４０を高ヘイズ状態に保つことにより収納壇本体１１が視認されることを抑制することができる。また、観音扉の開閉スペースを確保する必要がないため、慰霊スペースを有効に利用することも可能となる。
【００４８】
また、本実施の形態の慰霊装置１０によれば、収納壇本体１１を取り囲む壇ケース２０をさらに備え、壇ケース２０は、収納壇本体１１の前方となる位置で前面板３０を支持している。このような形態によれば、壇ケース２０が収納壇本体１１を取り囲むため、前面板３０以外の領域から収納壇本体１１を視え難くすることができる。このため、収納壇本体１１を他人に不用意に視られてしまうことを抑制することができる。
【００４９】
次に、このような慰霊装置１０を用いた慰霊設備１の構成例について図８を参照して説明する。図８は、複数の慰霊装置１０を階段状に並べた慰霊設備１の一例を示す平面図である。図８に示す慰霊設備１は、エントランスエリアＡ１と参拝エリアＡ２とを含んでいる。エントランスエリアＡ１と参拝エリアＡ２とは壁４によって区画されており、壁４に設けられたドア５から２つのエリアＡ１、Ａ２を行き来可能になっている。エントランスエリアＡ１は、訪れる参拝者が入場する領域であり、参拝を済ませた参拝者が退場する領域でもある。参拝エリアＡ２には、多数の慰霊装置１０が配列され、参拝者による参拝が行われる。訪れる参拝者は、エントランスエリアＡ１に設けられた入力手段６１に必要な情報を入力し、ドア５から参拝エリアＡ２に入室する。入力手段６１に入力された情報に基づいて制御部６０が対象となる慰霊装置１０を特定し参拝者に知らせる。参拝エリアＡ２に入室した参拝者は、特定された慰霊装置１０にて礼拝を行う。礼拝を済ませた参拝者は、ドア５からエントランスエリアＡ１に戻り、慰霊設備１を立ち去る。図８に示す慰霊設備１によれば、慰霊装置１０を移動させる大掛りな移送機構を不要とし、慰霊装置１０に設けられ得る扉の開閉のためのスペースを確保する必要がないことから、慰霊スペースを有効に利用することができる。
【００５０】
参拝エリアＡ２には、通路３を介して隔てられた複数の慰霊装置群２が設けられている。各慰霊装置群２は、同じ向きに整列された複数の慰霊装置１０を含んでいる。各慰霊装置群２において、一方向に並べられた複数の慰霊装置１０からなる列２ａが、当該一方向に直交する他方向に階段状に並べられている。一の列２ａの慰霊装置１０と、当該一の列２ａと隣り合う他の列２ｂの慰霊装置１０とは、慰霊装置１０の正面方向からみてずれて配置されている。このような複数の慰霊装置１０の配列によれば、対象となる慰霊装置１０をスムーズに参拝することができる。
【００５１】
参拝エリアＡ２に配置された各慰霊装置１０は、制御部６０に接続されている。制御部６０は、各慰霊装置１０の調光シート４０を他の慰霊装置１０の調光シート４０から独立して制御可能になっている。したがって、対象となる慰霊装置１０の調光シート４０を低ヘイズ状態に保ち、その他の慰霊装置１０の調光シート４０を高ヘイズ状態に保つことにより、対象となる収納壇本体１１を視認可能にする一方でその他の収納壇本体１１を視え難くすることができる。
【００５２】
エントランスエリアＡ１には、情報が入力される入力手段６１が配置されている。入力手段６１は、参拝対象となる慰霊装置１０を特定するために必要な情報が入力されるものであれば、種々の形態を採用することが可能である。一例として、入力手段６１が各慰霊装置１０に対応して設けられた複数のスイッチにて構成されてもよい。この場合、制御部６０は、例えばプログラマブルコントローラ（ＰＬＣ）にて構成される。あるいは、入力手段６１が、参拝者に個別に配布されたＩＣカードを読み取るＩＣカードリーダからなり、制御部６０がＰＬＣやパーソナルコンピュータ（ＰＣ）からなってもよい。図８に示す例では、入力手段６１と制御部６０とがマウス及びキーボードが接続されたパーソナルコンピュータからなる例を示している。入力手段６１に入力された情報に基づいて、制御部６０は、対象となる慰霊装置１０を特定し、参拝者に知らせる。参拝者に知らせる方法としては、例えば、パーソナルコンピュータのモニターに対象となる慰霊装置１０の位置を示す方法や、対象となる慰霊装置１０を点灯させる方法が挙げられる。
【００５３】
次に、このような構成からなる慰霊設備１を利用した参拝方法について説明する。
【００５４】
訪れる参拝者は、エントランスエリアＡ１に設けられた入力手段６１に必要な情報を入力する。具体的には、パーソナルコンピュータに対象となる慰霊装置１０を特定するための情報、例えば識別番号、所有者の名前等を入力する。入力手段６１に入力された情報に基づいて制御部６０が対象となる慰霊装置１０を特定し参拝者に知らせる。例えば、パーソナルコンピュータのモニターに対象となる慰霊装置１０の位置が表示される。その後、参拝者は、ドア５から参拝エリアＡ２に入室する。
【００５５】
また、制御部６０は、入力手段６１に入力された情報に基づいて、対象となる慰霊装置１０の調光シート４０を低ヘイズ状態に保ち、その他の慰霊装置１０の調光シート４０を高ヘイズ状態に保つ制御を行う。これにより、対象となる収納壇本体１１を視認可能にする一方でその他の収納壇本体１１を視え難くすることができる。なお、典型的には、同時に複数の参拝者が参拝エリアＡ２に入室されることが想定されるため、対象となる慰霊装置１０は１つに限られない。
【００５６】
参拝エリアＡ２に入室した参拝者は、特定された対象となる慰霊装置１０に向かう。上述のように、対象となる慰霊装置１０の調光シート４０は、低ヘイズ状態に保たれているため、収納壇本体１１が透明な調光シート４０越しに観察される。この結果、参拝者は、透明な調光シート４０越しに礼拝を行うことができる。礼拝を済ませた参拝者は、ドア５からエントランスエリアＡ１に戻り、慰霊設備１を立ち去る。
【００５７】
以上のように、本実施の形態の慰霊設備１によれば、複数の慰霊装置１０と、各慰霊装置１０の調光シート４０を制御する制御部６０と、を備え、制御部６０は、各慰霊装置１０の調光シート４０を他の慰霊装置１０の調光シート４０から独立して制御可能になっている。このような形態によれば、対象となる慰霊装置１０の調光シート４０を低ヘイズ状態に保つことで透明にさせ、その他の慰霊装置１０の調光シート４０を高ヘイズ状態に保つことで白濁させることができる。これにより、対象となる収納壇本体１１を視認可能にする一方でその他の収納壇本体１１を視え難くすることができる。この結果、参拝者が対象となる慰霊装置１０の前まで移動する間及び参拝中に、他人の収納壇本体１１が視認されることを妨げることができる。また、このような形態によれば、慰霊装置１０を移動させる大掛りな移送機構を不要とし、慰霊装置１０に設けられ得る扉の開閉のためのスペースを確保する必要がないことから、慰霊スペースを有効に利用することができる。
【００５８】
また、本実施の形態の慰霊設備１によれば、情報が入力される入力手段６１をさらに備え、制御部６０は、入力手段６１からの情報に基づいて慰霊装置１０の調光シート４０を制御する。このような形態によれば、入力手段６１によって訪れる参拝者からの必要な情報を取得することができる。このため、参拝対象となる慰霊装置１０を容易に特定することができ、制御部６０による安定した制御を実現することができる。
【００５９】
以上、本発明を図示する一実施の形態に基づいて説明したが、本発明はこれらの実施の形態に限定されるものではなく、この他にも種々の態様で実施可能である。
【００６０】
例えば、上述した実施の形態において、前面板３０は、一枚の調光シート４０を有する例を示したが、これに限られず、前面板３０が、二以上の調光シート４０を有するようにしてもよい。複数の調光シート４０を設けることによって、高ヘイズ状態における隠蔽性を格段に向上させることができる。その一方で、厚みの厚い調光シートを一枚用いる場合と比較して、複数の調光シート４０を用いる場合には、ヘイズ状態を切り換える際の電圧を高くする必要がない。したがって、上述の優れた作用効果を奏し得る慰霊装置１０を、低電圧で安全且つ優れた取り扱い性にて使用することができる。
【００６１】
≪第２の実施の形態≫
次に、図９及び図１０を参照して、本発明の第２の実施の形態について説明する。図９及び図１０は、それぞれ、本発明の第２の実施の形態による慰霊設備１００の保管部１２０及び参拝部１１０を示す斜視図である。
【００６２】
図９及び図１０に示すように、慰霊設備１００は、参拝領域１１１が設けられた参拝部１１０と、骨壺１２または位牌が載置される収納壇本体１１を複数保管する保管部１２０と、保管部１２０に保管された収納壇本体１１を、参拝部１１０内の参拝位置Ｐ１まで移動させる移送部１３０と、を備えている。保管部１２０に保管される収納壇本体１１は、図１に示す慰霊装置１０の収納壇本体１１と略同様に構成される。
【００６３】
図９に示すように、保管部１２０は、架台１２１にて骨組みされ、複数の収容空間１２２が規定されている。各収容空間１２２には複数の収納壇本体１１が一列に保管される。移送部１３０は、保管部１２０の各収容空間１２２に保管された収納壇本体１１を移載する移載機１３１と、移載機１３１から移載される収納壇本体１１を参拝部１１０内の参拝位置Ｐ１まで搬送するコンベア１３２と、を有している。
【００６４】
図１０に示すように、参拝部１１０は、参拝者が参拝を行う参拝領域１１１と、収納壇本体１１が移動する移動領域１１２と、を含んでいる。参拝領域１１１と移動領域１１２とは、隔離壁１１３によって区画されている。したがって、移動領域１１２内の参拝位置Ｐ１に配置された収納壇本体１１は、隔離壁１１３によって参拝領域１１１から隔離される。隔離壁１１３には、開口１１４が設けられ、この開口１１４に前面板３０が嵌め込まれている。開口１１４は、参拝位置Ｐ１に配置された収納壇本体１１に対面する位置に形成されている。本実施の形態において、開口１１４は、収納壇本体１１の正面方向から開口１１４を介して収納壇本体１１を視たときに墓石本体１５の全体を視認することができるように、形成されている。したがって、開口１１４は、収納壇本体１１の正面方向からみて、少なくとも墓石本体１５の全体と重なるように形成されている。
【００６５】
隔離壁１１３は、開口１１４以外の領域から収納壇本体１１が視認されることを妨げるために設けられている。この点、開口１１４以外の領域から収納壇本体１１を効果的に視え難くするために、不透明であることが好ましい。隔離壁１１３を構成する材料としては、それ自体既知の壁に用いられる材料、例えば石膏材料が挙げられる。さらに、これらの材料に漆仕上げや金箔仕上げを施してもよい。
【００６６】
前面板３０は、開口１１４に隙間なく嵌め込まれ隔離壁１１３に支持されている。上述のように、開口１１４は、参拝位置Ｐ１に位置する収納壇本体１１に対面する位置に形成され、当該収納壇本体１１の正面方向からみて、少なくとも墓石本体１５の全体と重なるように形成されている。ゆえに、前面板３０は、参拝位置Ｐ１に位置する収納壇本体１１に対面し、当該収納壇本体１１の正面方向からみて、少なくとも墓石本体１５の全体と重なるように形成されている。
【００６７】
前面板３０は、上述した第１の実施の形態における前面板３０と略同様に構成される。したがって、前面板３０は、高ヘイズ状態と低ヘイズ状態とを切り替え可能な調光シート４０を含んでいる。
【００６８】
次に、本実施の形態による慰霊設備１００を用いた参拝方法について説明する。
【００６９】
先ず、訪れる参拝者は、参拝部１１０に設けられた参拝領域１１１に入室する。参拝する前は、調光シート４０は、高ヘイズ状態に保たれる。高ヘイズ状態において調光シート４０が透過光を散乱させるため、参拝部１１０の移動領域１１２が調光シート４０越しに観察され難くなる。これにより、対象となる収納壇本体１１以外の収納壇本体１１が参拝者によって視認されることを妨げることができる。
【００７０】
続いて、対象となる収納壇本体１１が保管部１２０の収容空間１２２から移載機１３１に移される。移載機１３１に移された収納壇本体１１は、コンベア１３２にて参拝部１１０内の参拝位置Ｐ１まで搬送される。収納壇本体１１が参拝位置Ｐ１に到達すると、調光シート４０に電圧が印加されて、調光シート４０は低ヘイズ状態に保たれる。低ヘイズ状態においては、調光シート４０は、入射する光を進行方向を大きく曲げることなく透過させるため、参拝位置Ｐ１に到達した収納壇本体１１が調光シート４０越しに観察される。この結果、参拝者は、透明な調光シート４０越しに礼拝を行うことができる。
【００７１】
参拝者の礼拝が終わると、参拝位置Ｐ１にある収納壇本体１１は、コンベア１３２にて移載機１３１まで搬送される。続いて、収納壇本体１１は、移載機１３１から保管部１２０の収容空間１２２に移される。
【００７２】
以上のように、本実施の形態の慰霊設備１００によれば、参拝領域１１１が設けられた参拝部１１０と、骨壺１２または位牌が載置される収納壇本体１１を複数保管する保管部１２０と、保管部１２０に保管された収納壇本体１１を、参拝部１１０内の参拝位置Ｐ１まで移動させる移送部１３０と、を備え、参拝部１１０は、参拝位置Ｐ１に配置された収納壇本体１１を参拝領域１１１から隔離する隔離壁１１３を有し、隔離壁１１３は、高ヘイズ状態と低ヘイズ状態とを切り替え可能な調光シート４０を含む前面板３０を有している。このような形態によれば、前面板３０の調光シート４０を高ヘイズ状態に保つことにより調光シート４０が白濁する。これにより、参拝位置Ｐ１を含む移動領域１１２を調光シート４０越しに視え難くし、対象となる収納壇本体１１以外の収納壇本体１１が参拝者によって観察されることを妨げることができる。一方、調光シート４０を低ヘイズ状態に保つことにより調光シート４０が透明となる。これにより、参拝者は、参拝位置Ｐ１に到達した収納壇本体１１を透明な調光シート４０越しに礼拝を行うことができる。すなわち、本実施の形態の慰霊装置１０によれば、調光シート４０を高ヘイズ状態に保つことにより他の収納壇本体１１を参拝者によって視認され難くすることができる。これにより、他の収納壇本体１１を視認され難くするために従来行われた扉の開閉が不要となる。この結果、扉の開閉スペースを確保する必要がなくなり、慰霊スペースを有効に利用することが可能となる。
【００７３】
また、本実施の形態の慰霊設備１００によれば、調光シート４０は、電圧が印加されていない場合に高ヘイズ状態となり、電圧が印加された場合に低ヘイズ状態となるノーマルモード型のヘイズ切り換え方式を採用している。この場合、電圧を印加していない状態において、参拝位置Ｐ１及び移動領域１１２を隠蔽することになる。すなわち、電力を使用することなく、参拝位置Ｐ１及び移動領域１１２を隠蔽することができる。したがって、典型的には使用時よりも非使用時の方が長時間となるため、電力消費を抑える観点から、電圧が印加された場合に低ヘイズ状態となり電圧が印加されない場合に高ヘイズ状態となる、ノーマルモード型のヘイズ切り換え方式を採用することが好ましい。
【００７４】
なお、以上において上述した実施の形態に対するいくつかの変形例を説明してきたが、当然に、複数の変形例を適宜組み合わせて適用することも可能である。
【符号の説明】
【００７５】
１、１００  慰霊設備
１０  慰霊装置
１１  収納壇本体
１２  骨壺
２０  壇ケース
３０  前面板
４０  調光シート
４８  ポリマーネットワーク
４９  液晶材料
５０  液晶分子
６０  制御部
６１  入力手段
１１０  参拝部
１１１  参拝領域
１１２  移動領域
１１３  隔離壁
１２０  保管部
１３０  移送部
Ｐ１  参拝位置Ｐ１
【図１】
2015204906.tif 000003
【図２】
2015204906.tif 000004
【図３】
2015204906.tif 000005
【図４】
2015204906.tif 000006
【図５】
2015204906.tif 000007
【図６】
2015204906.tif 000008
【図７】
2015204906.tif 000009
【図８】
2015204906.tif 000010
【図９】
2015204906.tif 000011
【図１０】
2015204906.tif 000012